(57)【要約】【課題】楽器のバランスを狂わせることなくエンドピンを十分に固定することの可能なエンドピン固定具を提供する。【解決手段】エンドピン固定具１００は、チェロＣＨに着脱自在に取り付けられる台座１１０と、台座１１０に着脱自在に取り付けられエンドピンＣＨを保持するソケット１２０と、からなる。台座１１０は、軸方向に貫通し、ソケット１２０が挿入される貫通孔１１０ａを有する。ソケット１２０は、エンドピンＥＰを収容するエンドピン収容部１２０ａと、径を縮径させるための切り欠き１２０ｂと、が軸方向に設けられる。ソケット１２０が、エンドピン収容部１２０ａにエンドピンＥＰが収容された状態で台座１１０の貫通孔１１０ａに挿入されると、切り欠き１２０ｂの作用で縮径することにより、エンドピン収容部１２０ａがエンドピンＥＰを圧着して固定する。【選択図】図２
2018128606.tif 000002
【特許請求の範囲】
【請求項１】
楽器にエンドピンを固定するためのエンドピン固定具であって、
前記楽器に着脱自在に取り付けられる第１部材と、
前記第１部材に着脱自在に取り付けられ前記エンドピンを保持する第２部材と、
からなり、
前記第１部材は、軸方向に貫通し、前記第２部材が挿入される貫通孔を有し、
前記第２部材は、前記エンドピンを収容するエンドピン収容部と、径を縮径させるための切り欠きと、が軸方向に設けられ、
前記第１部材の前記貫通孔と前記第２部材の外周は、軸方向に対して傾斜面を有し、
前記第２部材が、前記エンドピン収容部に前記エンドピンが収容された状態で前記第１部材の前記貫通孔に挿入されると、前記切り欠きの作用で縮径することにより、前記エンドピン収容部が前記エンドピンを圧着して固定することを特徴とする、エンドピン固定具。
【請求項２】
前記第１部材の前記貫通孔の傾斜面と、前記第２部材の外周の傾斜面とは、軸方向に対して同一角度傾斜していることを特徴とする、請求項１に記載のエンドピン固定具。
【請求項３】
前記第１部材の端部近傍に、前記第１部材を引き抜く動作を補助する第１引き抜き補助部が設けられていることを特徴とする、請求項１又は２に記載のエンドピン固定具。
【請求項４】
前記第２部材の端部近傍に、前記第２部材を引き抜く動作を補助する第２引き抜き補助部が設けられていることを特徴とする、請求項１〜３のいずれかに記載のエンドピン固定具。
【請求項５】
前記第１部材及び前記第２部材は木製であることを特徴とする、請求項１〜４のいずれかに記載のエンドピン固定具。
【発明の詳細な説明】
【技術分野】
【０００１】
本発明は、弦楽器や木管楽器などに用いられるエンドピンを楽器に固定するためのエンドピン固定具に関する。
【背景技術】
【０００２】
エンドピンは、弦楽器や木管楽器など（以下、単に楽器とも言う。）の底部に取り付けられ、床に立てて楽器を支える棒状の部品である。エンドピンは楽器を支えるほか、振動を床に伝えて響きを増幅させるという役割を持つ。従来、エンドピンを楽器に固定するエンドピン固定具は、主に材料が黒檀やローズウッドの台座状のもので、台座に組み込まれているネジでエンドピンを押し上げたり、台座の中に組み込まれている樽をネジで引っ張ることにより、エンドピンを台座の壁に押し付けたりして固定するものであった（例えば、特許文献１参照）。
【先行技術文献】
【特許文献】
【０００３】
【特許文献１】特開２００１−２１５９５３号公報
【発明の概要】
【発明が解決しようとする課題】
【０００４】
しかしながら、従来のネジ式のエンドピン固定具では、楽器本体の中心より外側に重さが掛かるために楽器のバランスを狂わせる。また、エンドピンを１点で押す、引っ張る、はさむという方法のため、台座の中に隙間（遊び）ができてエンドピンを十分に固定することができない。
【０００５】
そこで本発明は、このような問題に鑑みてなされたもので、その目的とするところは、楽器のバランスを狂わせることなくエンドピンを十分に固定することの可能なエンドピン固定具を提供することにある。
【課題を解決するための手段】
【０００６】
上記課題を解決するために、本発明によれば、弦楽器や木管楽器などの楽器にエンドピンを固定するためのエンドピン固定具であって、前記楽器に着脱自在に取り付けられる第１部材と、前記第１部材に着脱自在に取り付けられ前記エンドピンを保持する第２部材と、からなり、前記第１部材は、軸方向に貫通し、前記第２部材が挿入される貫通孔を有し、前記第２部材は、前記エンドピンを収容するエンドピン収容部と、径を縮径させるための切り欠きと、が軸方向に設けられ、前記第１部材の前記貫通孔と前記第２部材の外周は、軸方向に対して傾斜面を有し、前記第２部材が、前記エンドピン収容部に前記エンドピンが収容された状態で前記第１部材の前記貫通孔に挿入されると、前記切り欠きの作用で縮径することにより、前記エンドピン収容部が前記エンドピンを圧着して固定することを特徴とする、エンドピン固定具が提供される。
【０００７】
かかる構成によれば、第２部材に径を縮径させるための切り欠きが設けられており、第２部材のエンドピン収容部にエンドピンが収容された状態で、第１部材の貫通孔に挿入するだけで、第２部材の径が縮径して、エンドピンを圧着して固定することができる。このため、エンドピン固定具の取り扱いが簡単である。そして、従来のネジ式のものと異なり、楽器本体の中心より外側に重さが掛からないため、楽器への悪影響を回避できる。さらに、楽器の使用時には、エンドピンが圧着する方向に力が掛かるため、エンドピンを十分に固定することができる。
【０００８】
また、前記第１部材の前記貫通孔と前記第２部材の外周は、軸方向に対して傾斜面を有している。本発明において第２部材の切り欠きを作用させるには、第２部材の外周の少なくとも一部の径が第１部材の貫通孔よりも大きければよい。例えば、第１部材の貫通孔と第２部材の外周の少なくとも一方に、段差を設けたり突起を設けたりなど種々の方法を採用できる。そのような方法の中で、第１部材の貫通孔と第２部材の外周に、軸方向に対して傾斜面（テーパ面）を有する構成にすると、部品の製造が容易である。
【０００９】
本発明は様々な応用が可能である。以下の応用例は適宜組み合わせることができる。
【００１０】
例えば、前記第１部材の前記貫通孔の傾斜面と、前記第２部材の外周の傾斜面とは、軸方向に対して同一角度傾斜しているようにしてもよい。かかる構成によれば、第２部材の外周面が、ほぼ均等に第１部材の貫通孔に密着し、第１部材の全体で第２部材とエンドピンを固定できるため、エンドピンを十分に固定することができる。ここで同一角度傾斜とは、第２部材が縮径したときの角度であってもよく、縮径していないときの角度であってもよい。
【００１１】
また、前記第１部材の端部近傍に、前記第１部材を引き抜く動作を補助する第１引き抜き補助部が設けられていてもよい。このような引き抜き補助部としては、構造的なものや材質的なものが考えられる。構造的なものとしては、例えば、グリップ部、段差、溝などを設け、手で把持したりあるいは指で引っ掛けたりすることなどが考えられる。また、材質的なものとしては、滑り止め加工や、滑り止め部材の貼着などが考えられる。本発明では、部材の取り付け動作は簡易であるが、その反面、部材の引き抜き動作が難しいことも考えられる。そこで、第１引き抜き補助部を設けることによって、第１部材を楽器から容易に引き抜くことができる。
【００１２】
また、同様の観点から、前記第２部材の端部近傍に、前記第２部材を引き抜く動作を補助する第２引き抜き補助部が設けられていてもよい。第２引き抜き補助部を設けることによって、第２部材を第１部材から容易に引き抜くことができる。
【００１３】
また、前記第１部材及び前記第２部材は木製のほうがよい。従来の台座ごと回す方式やネジで止める方式のものでは、材料が重く、鈍い材質のものを用いなければならなかったが、本発明では、軽い木製とすることができる。そして、木製の部材であれば一定の変形性・撓み性・柔軟性を有することで、部品の取り付けや引き抜きに好適である。このように、本発明において木製の部材を採用することには、技術的な相乗効果がある。なお、さらに具体的に、軽くて反応の早い素材、例えば、弓の材料にも使われているフェルナンブーコ材にすると、さらに好ましい。
【発明の効果】
【００１４】
本発明によれば、楽器のバランスを狂わせることなくエンドピンを十分に固定することの可能なエンドピン固定具を提供することが可能である。本発明のその他の効果については、後述する発明を実施するための形態においても説明する。
【図面の簡単な説明】
【００１５】
【図１】エンドピン固定具１００をチェロＣＨに取り付けた状態を概略的に示す図である。
【図２】エンドピンとエンドピン固定具をチェロから取り外して分離した状態を示す図であり、（ａ）は台座１１０であり、（ｂ）はソケット１２０であり、（ｃ）はエンドピンＥＰである。
【図３】台座１１０の斜視図である。
【図４】ソケット１２０の斜視図である。
【図５】エンドピンＥＰをソケット１２０に差し込んだ状態を示す図であり、（ａ）は側面図であり、（ｂ）は（ａ）のＡ−Ａ断面図である。
【図６】ソケット１２０及びエンドピンＥＰを台座１１０に差し込んだ状態を示す図であり、（ａ）は側面図であり、（ｂ）は（ａ）のＢ−Ｂ断面図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
まず、エンドピンの一般的な事項について説明する。エンドピン（英語：ｓｐｉｋｅ）は、楽器の底部にある、床に立てて楽器を支える棒状の部品である。エンドピンは楽器を支えるほか、振動を床に伝えて響きを増幅させるという役割を持つ。エンドピンは床に立てるという特性上、先端が尖っているものが多いが、滑り止め防止と床を傷つけないために、ゴム製のキャップを用いたり、専用のストッパー等を床に置いたりして、その上にエンドピンを突き立てる。なお、以下の説明では、エンドピンを固定するエンドピン固定具を中心に説明するものとし、キャップやストッパーなど本発明の特徴に関係性が低いものについては説明を省略する。
【００１８】
以下、本発明の一実施形態について説明する。以下では、説明の便宜上、楽器の一例としてチェロを例に挙げて説明する。まず、本実施形態のエンドピン固定具１００の構成について、図１〜図４を参照しながら説明する。
【００１９】
図１は、本実施形態のエンドピン固定具１００をチェロＣＨのエンドピン挿入口に取り付けた状態を概略的に示す図である。図２は、エンドピンＥＰとエンドピン固定具１００をチェロＣＨから取り外して分離した状態を示す図である。エンドピン固定具１００は、図１及び図２に示したように、台座（第１部材）１１０と、ソケット（第２部材）１２０とから構成される。以下、エンドピン固定具１００の各構成要素について詳細に説明する。
【００２０】
（台座１１０）
台座１１０は、本発明の第１部材の一構成例であり、図２（ａ）は透視図、図３は斜視図である。台座１１０は、軸方向の全長が８０ｍｍであり、例えば木製とすることができる。台座１１０は、図２（ａ）及び図３に示したように、チェロＣＨに挿入される部分である挿入部１１２と、チェロＣＨに挿入した際にチェロＣＨに当接する部分である当接部１１４と、溝１１６と、グリップ部１１８とを有する。そして、台座１１０には、図２（ａ）及び図３に示したように、軸方向に貫通し後述するソケット（第２部材）１２０が挿入される貫通孔１１０ａが設けられている。
【００２１】
貫通孔１１０ａは、図２（ａ）及び図３に示したように、台座１１０を軸方向に貫通している。貫通孔１１０ａは、細径側の直径が１８ｍｍであり、太径側の直径が２３ｍｍであり、テーパ面を構成している。この貫通孔１１０ａのテーパ面によって、後述するソケット１２０が貫通孔１１０ａに挿入されたときに、ソケット１２０が奥に挿入されるほどソケット１２０を径方向に押圧する。
【００２２】
挿入部１１２は、チェロＣＨの内部に挿入される部分である。挿入部１１２は、図２（ａ）及び図３に示したように、楽器に仕込まれるために円錐状であり、チェロＣＨのエンドピン挿入口に挿入可能な適切な大きさ（例えば、軸方向の長さが５０ｍｍ程度）になっている。
【００２３】
当接部１１４は、台座１１０がチェロＣＨに挿入される際に、チェロＣＨの表面と当接し、台座１１０のそれ以上のチェロＣＨの内部への進入を防止したり、衝撃や損傷を防止したり、デザインの向上を図ったりするためのものである。当接部１１４は、挿入部１１２に連続して形成され、近傍の部分より局所的に大径になっており、台座１１０の全周にわたってドーナツ状に形成されている。当接部１１４は、チェロＣＨのエンドピン挿入口よりも大径である。このため、チェロＣＨの表面に当接して台座１１０のそれ以上のチェロＣＨの内部への進入を防止することができる。
【００２４】
溝１１６は、当接部１１４に連続して形成されており、台座１１０の全周にわたって形成されている。溝１１６によって、台座１１０をチェロＣＨから引き抜きやすい。また、溝１１６には、チェロＣＨのテールガット（図示せず）を引っ掛けることができる。溝１１６の幅は例えば５〜６ｍｍ程度にすると引き抜き作業が容易である。
【００２５】
グリップ部１１８は、溝１１６に連続して形成され、近傍の部分より局所的に大径（たとえば、径が３０〜３５ｍｍ）になっている部分である。グリップ部１１８は、台座１１０をチェロＣＨから引き抜いたり、台座１１０から後述するソケット１２０を引き抜いたりする際に把持しやすいように、近傍の部分より大径に構成されている。この点で、グリップ部１１８は引き抜き補助部（第１引き抜き補助部）として機能する。なお、グリップ部１１８をさらに把持しやすいように、グリップ部１１８の形状を、両端部よりも軸方向中央の径が細くなった糸巻きのような形状としてもよい。また、グリップ部１１８を真鍮などの金属で被覆して強度を向上させることにより木材の割れを防ぐことができる。
【００２６】
以上、図２（ａ）及び図３を参照しながら、台座１１０の構成について説明した。次に、ソケット１２０の構成について説明する。
【００２７】
（ソケット１２０）
ソケット１２０は、本発明の第２部材の一構成例であり、図２（ｂ）は透視図、図４は斜視図である。ソケット１２０は、軸方向の全長が８５ｍｍであり、木製とすることができる。ソケット１２０は、図２（ｂ）及び図４に示したように、台座１１０に挿入される部分である挿入部１２２と、グリップ部１２４とを有する。そして、ソケット１２０は、図２（ｂ）及び図４に示したように、エンドピンＥＰを収容するエンドピン収容部１２０ａと径を縮径させるための切り欠き１２０ｂとが軸方向に設けられ、細径側が台座１１０の貫通孔１１０ａより小さく、太径側が貫通孔１１０ａより大きい略円錐台形である。
【００２８】
エンドピン収容部１２０ａは、図２（ｂ）及び図４に示したように、ソケット１２０の軸方向に貫通する穴である。エンドピン収容部１２０ａの内径は、図２（ｃ）に示したエンドピンＥＰの径とほぼ同じかわずかに大きい平行面である。このため、エンドピン収容部１２０ａは、エンドピンＥＰをスムーズに出し入れすることができる。また、エンドピン収容部１２０ａは、エンドピン収容部１２０ａが縮径してエンドピンＥＰを圧着することによって、エンドピン収容部１２０ａの内径全体でエンドピンＥＰを保持することができるため、保持力に優れている。
【００２９】
エンドピン収容部１２０ａは、ソケット１２０を台座１１０の貫通孔１１０ａに挿入した際に台座１１０と同軸になる。このため、エンドピン収容部１２０ａに保持されたエンドピンＥＰも台座１１０と同軸になる。よって、チェロＣＨの中心とエンドピンＥＰの軸心とを一致させることができる。
【００３０】
切り欠き１２０ｂは、図２（ｂ）及び図４に示したように、ソケット１２０の軸方向の全体に設けられた一種のワリである。ソケット１２０は、エンドピン収容部１２０ａにエンドピンＥＰが収容された状態で台座１１０の貫通孔１１０ａに挿入されると、切り欠き１２０ｂの作用で縮径することにより、エンドピン収容部１２０ａがエンドピンＥＰを圧着して固定するように構成される。なお、切り欠き１２０ｂの幅は、ソケット１２０の軸方向の全体にわたって同じほうがよい。
【００３１】
挿入部１２２は、図２（ｂ）及び図４に示したように、略円錐台形を有する。挿入部１２２は、細径側が１９ｍｍであり、太径側が２４．５ｍｍであり、テーパ面を構成している。このテーパ面は、上述した台座１１０の貫通孔１１０ａのテーパ面と、ほぼ同一の傾斜を有する。このようなテーパを有することにより、台座１１０の貫通孔１１０ａに挿入された際に、切り欠き１２０ｂが閉じてソケット１２０が縮径する方向に力が働く。そして、貫通孔１１０ａを構成するテーパ面の全体で、ソケット１２０の挿入部１２２を圧縮する。
【００３２】
グリップ部１２４は、図２（ｂ）及び図４に示したように、近傍の部分より大径になっている部分であり、ソケット１２０を引き抜く際の引き抜き補助部（第２引き抜き補助部）として機能する。ソケット１２０にグリップ部１２４を設けることで、握りやすさ押し込みやすさなど力がない人でも容易に使える。また、グリップ部１２４は、デザインの向上を図ることにも寄与している。なおこのように、グリップ部１２４は、機能性の向上を目的とした構成である。
【００３３】
なお、図２で未説明のエンドピンＥＰは、一般的なエンドピン（一般的に８ミリか１０ミリの金属ピンが主流である。）とは異なり、図２（ｃ）に示したように、エンドピンＥＰの径は１４．５ｍｍ程度であり、全長は５２０ｍｍ程度である。エンドピンＥＰの材質は一例として木製である。
【００３４】
以上、図１〜図４を参照しながら、エンドピン固定具１００の構成について説明した。
次に、エンドピン固定具１００の使用方法について、主に図５及び図６を参照しながら説明する。図５は、エンドピンＥＰをソケット１２０に差し込んだ状態を示す図であり、図５（ａ）は側面図であり、図５（ｂ）は図５（ａ）のＡ−Ａ断面図である。図６は、ソケット１２０及びエンドピンＥＰを台座１１０に差し込んだ状態を示す図であり、図６（ａ）は側面図であり、図６（ｂ）は（ａ）のＢ−Ｂ断面図である。
【００３５】
まず、エンドピンＥＰをチェロＣＨに装着する動作について説明する。
【００３６】
図５（ａ）に示したように、エンドピンＥＰをソケット１２０に装着する。この段階では、図５（ｂ）に示したように、ソケット１２０のエンドピン収容部１２０ａの内径が縮径しておらず、ソケット１２０のエンドピン収容部１２０ａの内径はエンドピンＥＰの径よりも大きいため、エンドピンＥＰの出し入れはスムーズである。ソケット１２０とエンドピンＥＰの相対位置を調整する。
【００３７】
そして、図６（ａ）に示したように、エンドピンＥＰが装着されたソケット１２０を、台座１１０に装着する。これにより、図６（ｂ）に示したように、ソケット１２０のエンドピン収容部１２０ａの内径が縮径して、エンドピンＥＰが圧着されて固定される。また、ソケット１２０は、挿入部１２２の細径側が台座１１０の貫通孔１１０ａの細径側よりも太く構成されているため、台座１１０のグリップ部１１８より突出した状態となる。このように、ソケット１２０の部分を台座１１０より少し長めに出すことにより、ソケット１２０を台座１１０から引き抜くときにグリップ部１２４を握りやすくなる。さらに、季節の変化による木材の収縮、膨張にも対応できる。
【００３８】
なお、台座１１０は初めにチェロＣＨに装着しておいてもよく、あるいは、台座１１０、ソケット１２０及びエンドピンＥＰを一体にしてから、その全体をチェロＣＨに装着してもよい。以上の動作により、エンドピンＥＰがチェロＣＨに装着された状態（図１）となる。
【００３９】
次に、エンドピンＥＰをチェロＣＨから取り外す動作について説明する。
【００４０】
エンドピンＥＰがチェロＣＨに装着された状態（図１）から、ソケット１２０とエンドピンＥＰを引き抜く。このとき、ソケット１２０にグリップ部１２４があることで指を掛けやすい。また、グリップ部１２４があることで、力がないものであっても引き抜きやすい。このようにして、エンドピンＥＰをチェロＣＨから取り外すことができる。
【００４１】
なお、台座１１０は、必要時にのみ取り外せばよい。台座１１０は演奏者自身が取り付け・取外しを行うものではなく、基本的に専門家が行う。また、エンドピンＥＰとソケット１２０と台座１１０の全体を一度に引き抜いてもよい。すなわち、まず台座１１０ごと全体を引き抜いて、その後に台座１１０とソケット１２０からエンドピンＥＰを引き抜いてもよい。
【００４２】
（本実施形態の効果）
以上説明したように、本実施形態によれば、ソケット１２０に径を縮径させるための切り欠き１２０ｂが設けられており、ソケット１２０のエンドピン収容部１２０ａにエンドピンＥＰが収容された状態で、台座１１０の貫通孔１１０ａに挿入するだけで、切り欠き１２０ｂの作用によりソケット１２０の径が縮径して、エンドピンＥＰを圧着して固定することができる。このため、エンドピン固定具１００の取り扱いが簡単である。そして、従来のネジ式のものと異なり、チェロＣＨの中心より外側に重さが掛からないため、チェロＣＨへの悪影響を回避できる。さらに、チェロＣＨの使用時には、エンドピンＥＰが圧着する方向に力が掛かるため、エンドピンＥＰを十分に固定することができる。
【００４３】
また、台座１１０の貫通孔１１０ａの傾斜面と、ソケット１２０の外周の傾斜面とが、軸方向に対して略同一角度傾斜している構成としたことで、ソケット１２０の外周面が、ほぼ均等に台座１１０の貫通孔１１０ａが密着し、台座１１０の全体でソケット１２０とエンドピンＥＰを固定できるため、エンドピンＥＰを十分に固定することができる。また、傾斜面（テーパ面）を有する構成であれば、部品の製造が容易である。
【００４４】
また、ソケット１２０の端部近傍に、ソケット１２０を引き抜く動作を補助するグリップ部１２４を設けたことによって、ソケット１２０を台座１１０から容易に引き抜くことができる。
【００４５】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００４６】
例えば、上記実施形態では、台座１１０とソケット１２０の具体的な寸法等について説明したが、本発明はこれに限定されない。材料や寸法などは、強度や使いやすさ、音の反応の速さ、バランスなどを考慮して、任意に設計することができる。上述した寸法は一例であり、また、寸法を説明しなかった部分については任意の寸法に構成することができる。また、機能性の向上やデザインの向上を目的とした付加的な構成については、必ずしも台座やソケットに設けなくてもよい。
【００４７】
また、上記実施形態では、台座１１０の貫通孔１１０ａの傾斜面と、ソケット１２０の外周の傾斜面とが、軸方向に対して略同一角度傾斜している構成とした例について説明したが、本発明はこれに限定されない。エンドピン収容部にエンドピンが収容された状態で第２部材が第１部材の貫通孔に挿入されると、切り欠きの作用で縮径することにより、エンドピン収容部がエンドピンを圧着して固定するような、任意の構成を採用することができる。台座の貫通孔とソケットの外周にともに傾斜面を形成する場合であっても、その傾斜角度は必ずしも同一でなくてもよい。
【００４８】
また、上記実施形態では、台座１１０に、台座１１０を引き抜く動作を補助するための引き抜き補助部として、グリップ部１１８を設けたが、本発明はこれに限定されず、グリップ部１１８を設けなくてもよい。また、ソケットを引き抜く動作を補助するための構成であれば、他の形態であってもよい。ただし、グリップ部１１８のような構成を設けたほうが、台座内部のソケット部との表面積が増えるので、グリップ部は設けたほうがよい。また、楽器からソケット部のグリップ部が離れるので、演奏者がエンドピンの長さを変えるとき握りやすくなる。
【００４９】
また、上記実施形態では、ソケット１２０に、ソケット１２０を引き抜く動作を補助するための引き抜き補助部として、グリップ部１２４を設けたが、本発明はこれに限定されない。グリップ部１２４を設けなくてもよい。また、ソケットを引き抜く動作を補助するための構成であれば、他の形態であってもよい。
【００５０】
また、上記実施形態では、台座１１０とソケット１２０を木製のものとして説明したが、本発明はこれに限定されず、任意の材質を採用することができる。
【００５１】
上記実施形態、応用例、変形例は、任意に組み合わせて実施することができる。
【符号の説明】
【００５２】
１００  エンドピン固定具
１１０  台座
１１０ａ  貫通孔
１１２  挿入部
１１４  当接部
１１６  溝
１１８  グリップ部
１２０  ソケット
１２０ａ  エンドピン収容部
１２０ｂ  切り欠き
１２２  挿入部
１２４  グリップ部
ＣＨ  チェロ
ＥＰ  エンドピン
【図１】
2018128606.tif 000003
【図２】
2018128606.tif 000004
【図３】
2018128606.tif 000005
【図４】
2018128606.tif 000006
【図５】
2018128606.tif 000007
【図６】
2018128606.tif 000008